(57)【要約】      （修正有）【課題】畝間を人力で走行することで複数の畝間を散布ノズルが移動でき、かつ畝端でのＵターンや不使用時の走行・収納も簡便な構造を実現する農薬散布器を提供する。【解決手段】複数の畝間をノズルが移動できるように、少なくとも両端のノズル管を支持する水平部材６〜８が、鉛直の支柱９に取付けられ、この支柱９が、人力で走行する手押し車10などに取付けてある。【選択図】図１
0003176832.tif 000002
【実用新案登録請求の範囲】
【請求項１】
上下方向に所定の間隔で散布ノズルを備えた少なくとも両端の鉛直管を畝間の位置ごとに支持している水平部材が、鉛直の支柱に支持され、この支柱が、人力による走行手段に取付けてあることを特徴とする農薬散布器。
【請求項２】
前記水平部材は、前記支柱の両側においてそれぞれ折り曲げることで、コ字状に折り畳まれる構造であることを特徴とする請求項１に記載の農薬散布器。
【請求項３】
折り曲げた状態に、バネ力で弾圧保持される構造であることを特徴とする請求項２に記載の農薬散布器。
【考案の詳細な説明】
【技術分野】
【０００１】
植物に農薬を散布する器具であって、同時に複数の畝間に沿って複数段のノズルから散布できる簡易型の装置に関する。
【背景技術】
【０００２】
単一のノズルで農薬等を散布するのは能率的でないので、特開平11-56201や特開平９−238608のように複数のノズルで薬液を散布しているが、総てのノズルが下向きであるため、菊のように上方向に延びた植物に農薬を散布するには不適当である。
特許文献１のように、上下方向に複数段に渡ってノズルを備えていると、同時に上位置、中位置、下位置と高さの異なる位置に散布できるので便利である。しかし、ノズルが左右に向いていて、２列同時に散布できる利点は有るものの、同時に散布できる畝数が少なく、能率的でない。
【先行技術文献】
【特許文献】
【０００３】
【特許文献１】特開2003−219780
【特許文献２】実用新案登録第3165420
【考案の概要】
【考案が解決しようとする課題】
【０００４】
これに対し、特許文献２のように、さらに水平方向にも畝間ど同じ間隔でノズル列を備えており、しかも前後に移動可能に構成すると、機能的には満足できるが、自走システムを組むために高価となる。
本考案の技術的課題は、このような問題に着目し、畝間を人力で走行することで複数の畝間を散布ノズルが移動でき、かつ畝端でのＵターンや不使用時の走行・収納も簡便な構造を実現することにある。
【課題を解決するための手段】
【０００５】
請求項１は、上下方向に所定の間隔で散布ノズルを備えた少なくとも両端の鉛直管を畝間の位置ごとに支持している水平部材が、鉛直の支柱に取付けられ、この支柱が、人力による走行手段に取付けてあることを特徴とする農薬散布器である。
【０００６】
請求項２は、前記水平部材は、前記支柱の両側においてそれぞれ折り曲げることで、コ字状に折り畳まれる構造であることを特徴とする請求項１に記載の農薬散布器である。
【０００７】
請求項３は、折り曲げた状態に、バネ力で弾圧保持される構造であることを特徴とする請求項２に記載の農薬散布器である。
【考案の効果】
【０００８】
請求項１のように、複数の畝間をノズルが移動できるように、少なくとも両端のノズル管を支持する水平部材が、鉛直の支柱に取付けられ、この支柱が、人力で走行する手押し車などに取付けてあるので、人手を要するが、装置を簡易に実現でき、農家の経営を圧迫することがない。ノズル管単位に選択して使用できるので、薬液を無駄無く有効利用できる。
【０００９】
請求項２のように、左右に伸びる水平部材は、コ字状に折り畳み可能な構造であるから、畝の端部で折り畳んでＵターンしたり、不使用時の走行や収納が簡便である。また、邪魔になったり使用しない水平部材だけを選択的に折り畳むこともできる。
【００１０】
請求項３のように、コ字状に折り畳んだ状態に、バネ力で弾圧保持されるので、安定性が良く、不使用時の収納や走行が安心である。
【図面の簡単な説明】
【００１１】
【図１】本考案による農薬散布器の使用状態を示す斜視図である。
【図２】本考案による農薬散布器の薬液の分配状態を示す斜視図である。
【図３】本考案による農薬散布器をコ字状に折り畳んだ状態を示す斜視図である。
【図４】本考案による農薬散布器のスペーサ支柱を示す斜視図である。
【考案を実施するための形態】
【００１２】
次に本考案による農薬散布器が実際上どのように具体化されるか実施形態を詳述する。図示の散布用のノズルＮ…は、最上段と最下段の間に３段のノズルＮが有り、５段構成の例である。このような複数段ノズルＮ…を、図１のように３畝間分備えている。
ノズルＮ…を機械的に保持しているパイプＰ１、Ｐ２、Ｐ３は、各ノズルＮ…に薬液を供給する通路を兼ねており、各パイプＰ１、Ｐ２、Ｐ３は、図２のように、可撓性のホース１、２やＴ状のチーズ３を介してメインホース４と配管接続されている。また、チーズ３と並行のチーズ５を介して、中央のパイプＰ２と接続されている。なお、メインのホース４は、薬液の供給原と配管接続される。
【００１３】
このような３本のパイプＰ１、Ｐ２、Ｐ３は、水平の支持アーム６、７、８にそれぞれ上端を取付け支持して、垂下させてもよいが、図示例では中央のパイプＰ２はスペーサ支柱１５の上端に支持してある。
すなわち、図４のように、中央のＴ状の支持アーム８は鉛直の支柱９にボルトナット１３で上下動可能に取付け固定され、この支柱９が、人力で走行する手押し車１０に取付け固定してある。そして、Ｕボルト１４などで上下位置を調節可能に取付け固定した角パイプ状のスペーサ支柱１５の上端の水平部材１６にバンド１７で前記チーズ３、５を固定し、このチーズ５から中央のパイプＰ２が分岐している。
結局、最終的には前記支柱９に支持されていることになる。
【００１４】
各パイプＰ１、Ｐ２、Ｐ３は、畝間と同じ間隔で配置されているので、全ノズルＮ…への弁を開けて、薬液を供給可能にすると共に手押し車１０を人力で押して畝間を走行すると、各パイプＰ１、Ｐ２、Ｐ３に装備されている全ノズルＮ…から薬液が菊などの植物に側方から散布される。
また、３本のパイプＰ１、Ｐ２、Ｐ３に弁の開閉で選択的に薬液を供給することで、選択した植物列だけに散布することもできる。
なお、図示のノズルＮ…は、図１に示すように１８０逆向きのダブルになっているので、同時に畝間の左右両側の植物に散布できる。
【００１５】
図３に示すように、両側の支持アーム６と７は、中央の取付けアーム８からほぼ直角に折り曲げることで、コ字状に折り畳むことができる。
従って、畝端でのＵターンが便利であり、また散布列に障害物が有ったりして邪魔になる場合は、そのアームだけを折り畳むこともできる。加えて、不使用時にはコ字状に折り畳むことで、走行移動や収納が容易になる。
折り畳まれるアーム６、７は、引っ張りバネ１１、１２で常時弾圧保持されるので、折り畳まれた状態が安定し、不使用時の走行移動や収納が安心である。
【００１６】
コ字状に折り畳んだアーム６、７は、使用時には図１のごとく真っ直ぐになるように、前記引っ張りバネ１１、１２に抗してボルトナットで固定してもよいが、中立点を越えて初めて、引っ張りバネ１１、１２のバネ力で安定する構造も可能である。
【産業上の利用可能性】
【００１７】
以上のように、畝間を人力で走行することで複数の畝間を多段の散布ノズルが移動できるので、簡易型の農薬散布器を農家に供給できる。しかも折り畳み可能な構造であるから、不使用時の収納や走行も簡便である。また、Ｕターンが便利であり、選択的に邪魔になる側だけを折り畳むこともできる。
【符号の説明】
【００１８】
Ｎ…  ノズル
Ｐ１〜Ｐ３  パイプ
１・２  ホース
３・５  チーズ
４  メインホース
６〜８  支持アーム
９  支柱
１０  手押し車
１１・１２  引っ張りバネ
１３  ボルトナット
１４  Ｕボルト
１５  スペーサ支柱
１６  水平部材
１７  バンド
【図１】
0003176832.tif 000003
【図２】
0003176832.tif 000004
【図３】
0003176832.tif 000005
【図４】
0003176832.tif 000006